(57)【特許請求の範囲】
【請求項１】
入力された複数のチャンネルの音声信号をミキシング処理して出力するデジタル・ミキサーにおいて、
前記複数のチャンネルのうち１つのチャンネルの音声信号を処理して出力する複数の外部送り用出力手段と、
前記複数の外部送り用出力手段のうち任意のものを録音用として指定する指定手段と、
前記複数の外部送り用出力手段のそれぞれに対応したレベルを任意に設定可能なレベル設定手段と、
前記複数の外部送り用出力手段のそれぞれに対応したフェーダー接続状態をプリ・フェーダーあるいはポスト・フェーダーのいずれかに任意に設定可能な切替手段と、
前記指定手段で録音用として指定された前記外部送り用出力手段に対応した前記レベルを前記レベル設定手段による設定に関係なく所定のレベルに設定し、かつ、前記フェーダー接続状態を前記切替手段による設定に関係なくポスト・フェーダーとするよう制御する出力制御手段と
を有することを特徴とするデジタル・ミキサー。
【請求項２】
請求項１に記載のデジタル・ミキサーにおいて、さらに、
出力形態として録音用あるいは外部送り用のいずれかを選択する出力形態選択手段と
を有し、
前記出力形態選択手段で録音用が選択された場合には、前記指定手段による指定に関係なく全ての前記複数の外部送り用出力手段を録音用として指定し、前記出力形態選択手段で外部送り用が選択された場合には、前記指定手段による指示に関係なく全ての前記複数の外部送り用出力手段を外部送り用として指定する
ことを特徴とするデジタル・ミキサー。
【請求項３】
請求項１または２のいずれか１項に記載のデジタル・ミキサーにおいて、さらに、
前記複数の外部送り用出力手段のそれぞれに対応した定位を任意に設定可能な定位設定手段と
を有し、
前記出力制御手段は前記指定手段で録音用と指定された前記外部送り用出力手段に対応した前記定位を前記定位設定手段による設定に関係なく所定の定位に設定するよう制御する
ことを特徴とするデジタル・ミキサー。
【発明の詳細な説明】
【０００１】
【発明の属する技術分野】
本発明は、デジタル・ミキサーに関し、さらに詳細には、音声信号を各種の用途に応じて制御し、当該各種の用途に応じて制御した音声信号を当該各種の用途に応じた出力経路に出力することのできるデジタル・ミキサーに関する。
【０００２】
【従来の技術】
従来のミキサーとして、例えば、図１に示すような構成のミキサーが知られている。
【０００３】
この図１に示すミキサーは、複数のチャンネルの音声信号をそれぞれ入力するための入力手段として、複数のチャンネル分の入力手段１００を備えている。
【０００４】
具体的には、図１に示すミキサーにおいては、チャンネル１〜チャンネル６の６チャンネル分の入力手段１００が設けられており、これらチャンネル１〜チャンネル６の６チャンネル分の入力手段１００は、それぞれ同一の構成を備えている。
【０００５】
そして、この入力手段１００において、入力された音声信号を伝送する主経路１０２には、主経路１０２を通過する音声信号のレベルを制御するためのフェーダー手段（Ｆａｄｅｒ）１０４が設けられているとともに、このフェーダー手段１０４の後段には音像の定位（パン：Ｐａｎ）を制御するためのパン手段（Ｐａｎ）１０６が設けられている。
【０００６】
また、主経路１０２に設けられたフェーダー手段１０４の前段においては、主経路１０２から第１分岐路１０８が分岐され、主経路１０２に設けられたフェーダー手段１０４の後段かつパン手段１０６の前段、即ち、フェーダー手段１０４とパン手段１０６との間においては、主経路１０２から第２分岐路１１０が分岐されている。
【０００７】
そして、第１分岐路１０８と第２分岐路１１０とはさらにそれぞれ分岐されて、選択手段１１２−１、１１２−２、１１２−３へ接続されるようになされている。即ち、選択手段１１２−１、１１２−２、１１２−３へは、一対の第１分岐路１０８と第２分岐路１１０とをそれぞれ通過する音声信号が入力されるようになされている。
【０００８】
ここで、選択手段１１２−１、１１２−２、１１２−３は、これら第１分岐路１０８と第２分岐路１１０とをそれぞれ通過する音声信号のうちで、いずれの音声信号を後段へ出力するかを選択するためのものであり、第１分岐路１０８を通過する信号を選択することによりフェーダー手段１０４を通過する前（プリ・フェーダー：Ｐｒｅ  Ｆａｄｅｒ）の音声信号を後段へ出力することができ、第２分岐路１１０を通過する信号を選択することによりフェーダー手段１０４を通過した後（ポスト・フェーダー：Ｐｏｓｔ  Ｆａｄｅｒ）の音声信号を後段へ出力することができる。
【０００９】
また、選択手段１１２−１、１１２−２、１１２−３の後段にはそれぞれ、選択手段１１２−１、１１２−２、１１２−３によって選択された音声信号のレベルを制御するレベル手段（Ｌｅｖｅｌ）１１４−１、１１４−２、１１４−３が設けられているとともに、このレベル手段１１４−１、１１４−２、１１４−３の後段にはそれぞれ音像の定位を制御するためのパン手段１１６−１、１１６−２、１１６−３が設けられている。
【００１０】
そして、主経路１０２のパン手段１０６において定位が制御された音声信号は、当該音声信号をスピーカーなどへ出力するための主出力経路（ＭＡＳＴＥＲ  ＯＵＴ）として機能する主出力バス１３４および当該音声信号を各種の録音用の機器へ出力するための録音用出力経路１−２（ＲＥＣ１−２ＯＵＴ）、録音用出力経路３−４（ＲＥＣ３−４ＯＵＴ）、録音用出力経路５−６（ＲＥＣ５−６ＯＵＴ）、録音用出力経路７−８（ＲＥＣ７−８ＯＵＴ）としてそれぞれ機能する録音用バスたる第１録音用バス１３６、第２録音用バス１３８、第３録音用バス１４０、第４録音用バス１４２に接続されるメイン・バス１１８へ出力される。
【００１１】
一方、パン手段１１６−１において定位が制御された音声信号は、当該音声信号を外部機器などへ送るための第１外部送り経路（オグジュアリー１：ＡＵＸ１）として機能する第１オグジュアリー・バス１２０へ出力される。
【００１２】
また、パン手段１１６−２において定位が制御された音声信号は、当該音声信号を外部機器などへ送るための第２外部送り経路（ＡＵＸ２）として機能する第２オグジュアリー・バス１２２へ出力される。
【００１３】
さらに、パン手段１１６−３において定位が制御された音声信号は、当該音声信号を外部機器などへ送るための第３外部送り経路（ＡＵＸ３）として機能する第３オグジュアリー・バス１２４へ出力される。
【００１４】
さらに、メイン・バス１１８には、チャンネル１〜チャンネル６の各入力手段１００におけるパン手段１０６から出力された音声信号を選択して混合するミキシング処理手段１２６−１、１２６−２、１２６−３、１２６−４、１２６−５が設けられている。
【００１５】
また、第１オグジュアリー・バス１２０には、チャンネル１〜チャンネル６の各入力手段１００におけるパン手段１１６−１から出力された音声信号を選択して混合するミキシング処理手段１２８が設けられており、第２オグジュアリー・バス１２２には、チャンネル１〜チャンネル６の各入力手段１００におけるパン手段１１６−２から出力された音声信号を選択して混合するミキシング処理手段１３０が設けられており、第３オグジュアリー・バス１２４には、チャンネル１〜チャンネル６の各入力手段１００におけるパン手段１１６−３から出力された音声信号を選択して混合するミキシング処理手段１３２が設けられている。
【００１６】
また、符号１４４−１、１４４−２、１４４−３、１４４−４、１４４−５、１４４−６、１４４−７、１４４−８はそれぞれ、音声信号のレベルを制御するレベル手段である。
【００１７】
なお、フェーダー手段１０４、パン手段１０６、レベル手段１１２−１、１１２−２、１１２−３、パン手段１１４−１、１１４−２、１１４−３、ミキシング処理手段１２６−１、１２６−２、１２６−３、１２６−４、１２６−５、１２８、１３０、１３２ならびにレベル手段１４４−１、１４４−２、１４４−３、１４４−４、１４４−５、１４４−６、１４４−７、１４４−８におけるパラメータ値などの設定や、選択手段１１２−１、１１２−２、１１２−３における音声信号の選択の設定などは、図示しない操作子の操作によって使用者が任意に設定できるものとする。
【００１８】
以上の構成において、まず、主出力バス１３４を通って出力される主出力経路の音声信号について説明する。
【００１９】
即ち、チャンネル１〜チャンネル６の各入力手段１００における主経路１０２に入力された音声信号は、フェーダー手段１０４においてレベルの制御をされ、さらにパン手段１０６において定位の制御をされた後に、メイン・バス１１８を通ってミキシング処理手段１２６−１に入力される。
【００２０】
そして、ミキシング処理手段１２６−１によってチャンネル１〜チャンネル６のうちの選択された音声信号がミキシング処理されて、主出力バス１３４を通ってレベル手段１４４−１によってレベル制御され、主出力経路の音声信号として左チャンネル（Ｌ）と右チャンネル（Ｒ）とのステレオ出力されることになる。
【００２１】
次に、第１録音用バス１３６を通って出力される録音用出力経路１−２の音声信号について説明する。
【００２２】
即ち、チャンネル１〜チャンネル６の各入力手段１００における主経路１０２に入力された音声信号は、フェーダー手段１０４においてレベルの制御をされ、さらにパン手段１０６において定位の制御をされた後に、メイン・バス１１８を通ってミキシング処理手段１２６−２に入力される。
【００２３】
そして、ミキシング処理手段１２６−２によってチャンネル１〜チャンネル６のうちの選択された音声信号がミキシング処理されて、第１録音用バス１３６を通ってレベル手段１４４−２によってレベル制御され、録音用出力経路１−２の音声信号として録音装置のレコーディング・トラック１（ＲＥＣ１）とレコーディング・トラック２（ＲＥＣ２）との２チャンネル出力されることになる。
【００２４】
また、第２録音用バス１３８を通って出力される録音用出力経路３−４の音声信号、第３録音用バス１４０を通って出力される録音用出力経路５−６の音声信号ならびに第４録音用バス１４２を通って出力される録音用出力経路７−８の音声信号については、第１録音用バス１３６を通って出力される録音用出力経路１−２の音声信号と同様である。
【００２５】
即ち、チャンネル１〜チャンネル６の各入力手段１００における主経路１０２に入力された音声信号は、フェーダー手段１０４においてレベルの制御をされ、さらにパン手段１０６において定位の制御をされた後に、メイン・バス１１８を通ってミキシング処理手段１２６−３（第２録音用バス１３８の場合）、ミキシング処理手段１２６−４（第３録音用バス１４０の場合）、ミキシング処理手段１２６−５（第４録音用バス１４２の場合）にそれぞれ入力される。
【００２６】
そして、ミキシング処理手段１２６−３（第２録音用バス１３８の場合）、ミキシング処理手段１２６−４（第３録音用バス１４０の場合）、ミキシング処理手段１２６−５（第４録音用バス１４２の場合）によってチャンネル１〜チャンネル６のうちの選択された音声信号がそれぞれミキシング処理されて、第２録音用バス１３８、第３録音用バス１４０、第４録音用バス１４２をそれぞれ通ってレベル手段１４４−３（第２録音用バス１３８の場合）、レベル手段１４４−４（第３録音用バス１４０の場合）、レベル手段１４４−５（第４録音用バス１４２の場合）によってそれぞれレベル制御され、それぞれ録音用出力経路３−４（第２録音用バス１３８の場合）の音声信号として録音装置のレコーディング・トラック３（ＲＥＣ３）とレコーディング・トラック４（ＲＥＣ４）との２チャンネル出力され、録音用出力経路５−６（第３録音用バス１４０の場合）の音声信号として録音装置のレコーディング・トラック５（ＲＥＣ５）とレコーディング・トラック６（ＲＥＣ６）との２チャンネル出力され、録音用出力経路７−８（第４録音用バス１４２の場合）の音声信号として録音装置のレコーディング・トラック７（ＲＥＣ７）とレコーディング・トラック８（ＲＥＣ８）との２チャンネル出力されることになる。
【００２７】
次に、第１オグジュアリー・バス１２０を通って出力される第１外部送り経路の音声信号について説明する。
【００２８】
この第１外部送り経路に関しては、まず、チャンネル１〜チャンネル６の各入力手段１００における選択手段１１２−１において、プリ・フェーダーの音声信号を第１外部送り経路へ入力するか、ポスト・フェーダーの音声信号を第１外部送り経路へ入力するかが選択されることになる。
【００２９】
こうして選択された音声信号は、レベル手段１１４−１においてレベルの制御をされ、さらにパン手段１１６−１において定位の制御をされた後に、第１オグジュアリー・バス１２０を通ってミキシング処理手段１２８に入力される。
【００３０】
そして、ミキシング処理手段１２８によってチャンネル１〜チャンネル６のうちの選択された音声信号がミキシング処理され、さらにレベル手段１４４−６によってレベル制御され、第１外部送り経路の音声信号としてＡとＢとの２チャンネル出力されることになる。
【００３１】
また、第２オグジュアリー・バス１２２を通って出力される第２外部送り経路の音声信号、第３オグジュアリー・バス１２２を通って出力される第３外部送り経路の音声信号については、第１オグジュアリー・バス１２０を通って出力される第１外部送り経路の音声信号と同様である。
【００３２】
即ち、第２外部送り経路に関しては、まず、チャンネル１〜チャンネル６の各入力手段１００における選択手段１１２−２において、プリ・フェーダーの音声信号を第２外部送り経路へ入力するか、ポスト・フェーダーの音声信号を第２外部送り経路へ入力するかが選択されることになる。
【００３３】
こうして選択された音声信号は、レベル手段１１４−２においてレベルの制御をされ、さらにパン手段１１６−２において定位の制御をされた後に、第２オグジュアリー・バス１２２を通ってミキシング処理手段１３０に入力される。
【００３４】
そして、ミキシング処理手段１３０によってチャンネル１〜チャンネル６のうちの選択された音声信号がミキシング処理され、さらにレベル手段１４４−７によってレベル制御され、第２外部送り経路の音声信号としてＡとＢとの２チャンネル出力されることになる。
【００３５】
同様に、第３外部送り経路に関しては、まず、チャンネル１〜チャンネル６の各入力手段１００における選択手段１１２−３において、プリ・フェーダーの音声信号を第３外部送り経路へ入力するか、ポスト・フェーダーの音声信号を第３外部送り経路へ入力するかが選択されることになる。
【００３６】
こうして選択された音声信号は、レベル手段１１４−３においてレベルの制御をされ、さらにパン手段１１６−３において定位の制御をされた後に、第３オグジュアリー・バス１２４を通ってミキシング処理手段１３２に入力される。
【００３７】
そして、ミキシング処理手段１３２によってチャンネル１〜チャンネル６のうちの選択された音声信号がミキシング処理され、さらにレベル手段１４４−８によってレベル制御され、第３外部送り経路の音声信号としてＡとＢとの２チャンネル出力されることになる。
【００３８】
なお、これらの外部送り経路に出力された音声信号は、ステージにおいて、各演奏者毎に異なったミキシング処理のされた音声信号を供給するために使用される。
【００３９】
ところで、上記したような従来のミキサーにおいては、一般に、レコーディング（録音）に使用する場合やステージで使用する場合などの各種の用途に応じて、必要とされる出力経路のバスの種類や数が異なるものである。
【００４０】
即ち、レコーディングに使用する場合には、録音用出力経路となる録音用バスを多数必要とするが、外部送り経路となるオグジュアリー・バスは必要でなく、その反対に、ステージで使用する場合には、外部送り経路となるオグジュアリー・バスを多数必要とするが、録音用出力経路となる録音用バスは必要でないものである。
【００４１】
しかしながら、上記した従来のミキサーにおいては、録音用バスとオグジュアリー・バスとは少数ずつ固定的に設定されているものであり（図１に示すミキサーにおいては、録音用バスとしては第１録音用バス１３６、第２録音用バス１３８、第３録音用バス１４０および第４録音用バス１４２が固定的に設定されており、オグジュアリー・バスとしては第１オグジュアリー・バス１２０、第２オグジュアリー・バス１２２および第３オグジュアリー・バス１２４が固定的に設定されている。）、必要に応じて録音用バスを増加してオグジュアリー・バスを減少したり、その反対に、必要に応じて録音用バスを減少してオグジュアリー・バスを増加したりすることはできないものであった。
【００４２】
即ち、上記したような従来のミキサーにおいては、入力手段１００から録音用バス（第１録音用バス１３６、第２録音用バス１３８、第３録音用バス１４０、第４録音用バス１４２）に出力される音声信号と、入力手段１００からオグジュアリー・バス（第１オグジュアリー・バス１２０、第２オグジュアリー・バス１２２、第３オグジュアリー・バス１２４）に出力される音声信号とは、全く異なった制御を受けたものとなされている。
【００４３】
つまり、入力手段１００から録音用バス（第１録音用バス１３６、第２録音用バス１３８、第３録音用バス１４０、第４録音用バス１４２）に出力される音声信号は、入力手段１００から主出力バス１３４に出力される音声信号と同様の制御を受けたものとなる。
【００４４】
具体的には、入力手段１００から録音用バス（第１録音用バス１３６、第２録音用バス１３８、第３録音用バス１４０、第４録音用バス１４２）に出力される音声信号は、フェーダー手段１０４を通過した後の音声信号、即ち、ポスト・フェーダーの音声信号であり、このポスト・フェーダーの音声信号が入力手段１００から出力される際のレベルは、主出力バス１３４に出力される場合と共通のフェーダー手段１０４で設定されたレベルであり、定位も主出力バス１３４に出力される場合と共通のパン手段１０６で設定されたものである。
【００４５】
一方、入力手段１００からオグジュアリー・バス（第１オグジュアリー・バス１２０、第２オグジュアリー・バス１２２、第３オグジュアリー・バス１２４）に出力される音声信号は、入力手段１００から主出力バス１３４に出力される音声信号と異なる制御を受けたものとなる。
【００４６】
具体的には、入力手段１００からオグジュアリー・バス（第１オグジュアリー・バス１２０、第２オグジュアリー・バス１２２、第３オグジュアリー・バス１２４）に出力される音声信号は、プリ・フェーダーの音声信号であるか、あるいはポスト・フェーダーの音声信号であるかを、選択手段（選択手段１１２−１、１１２−２、１１２−３）によって任意に選択することができ、当該選択された音声信号が入力手段１００から出力される際のレベルは、主出力バス１３４に出力される場合とは独立してレベル手段（レベル手段１１４−１、１１４−２、１１４−３）によって任意に設定可能であり、定位も主出力バス１３４に出力される場合とは独立してパン手段（パン手段１１６−１、１１６−２、１１６−３）によって任意に設定可能である。
【００４７】
このように、従来のミキサーにおいては録音用バスとオグジュアリー・バスとは少数ずつ固定的に設定されているものであって、既存の録音用バスとオグジュアリー・バスとを適宜に互換して使用することはできないものであり、必要に応じて録音用バスを増加してオグジュアリー・バスを減少したり、その反対に、必要に応じて録音用バスを減少してオグジュアリー・バスを増加したりすることはできなかった。
【００４８】
従って、従来のミキサーにおいて上記したような、録音用などの第１の用途とオグジュアリー用などの第２の用途との複数の用途を十分に満足させるためには、多数の第１の用途のための出力経路（録音用バス）と第２の用途のための出力経路（オグジュアリー・バス）とをそれぞれ設ける必要があり、構成が複雑化して装置の規模が大型化するとともにコストも増大するという問題点があった。
【００４９】
【発明が解決しようとする課題】
本発明は、上記したような従来の技術の有する問題点に鑑みてなされたものであり、その目的とするところは、録音用としての出力経路の機能と外部送り用としての出力経路の機能とを適宜に互換可能な出力経路を設け、多数の録音用の出力経路と外部送り用の出力経路とをそれぞれ設ける必要性を排除して、構成の複雑化や装置の規模の大型化ならびにコストの増大を抑制しながら、録音用と外部送り用との２つの用途を十分に満足させることのできるようにしたデジタル・ミキサーを提供しようとするものである。
【００５０】
【課題を解決するための手段】
上記目的を達成するために、本発明のうち請求項１に記載の発明は、入力された複数のチャンネルの音声信号をミキシング処理して出力するデジタル・ミキサーにおいて、上記複数のチャンネルのうち１つのチャンネルの音声信号を処理して出力する複数の外部送り用出力手段と、上記複数の外部送り用出力手段のうち任意のものを録音用として指定する指定手段と、上記複数の外部送り用出力手段のそれぞれに対応したレベルを任意に設定可能なレベル設定手段と、上記複数の外部送り用出力手段のそれぞれに対応したフェーダー接続状態をプリ・フェーダーあるいはポスト・フェーダーのいずれかに任意に設定可能な切替手段と、上記指定手段で録音用として指定された上記外部送り用出力手段に対応した上記レベルを上記レベル設定手段による設定に関係なく所定のレベルに設定し、かつ、上記フェーダー接続状態を上記切替手段による設定に関係なくポスト・フェーダーとするよう制御する出力制御手段とを有するようにしたものである。
【００５１】
従って、本発明のうち請求項１に記載の発明によれば、指定手段により任意に指定された複数の外部送り用出力手段を録音用の出力手段として使用できるため、外部送り用として音声信号を出力するための専用の出力手段と録音用として音声信号を出力するための専用の出力手段とを、それぞれ別個に設ける必要がなく、構成の複雑化や装置の規模の大型化ならびにコストの増大を抑制しながら、録音用と外部送り用との２つの用途の音声信号を得ることができる。
【００５２】
また、本発明のうち請求項２に記載の発明は、本発明のうち請求項１に記載の発明において、さらに、出力形態として録音用あるいは外部送り用のいずれかを選択する出力形態選択手段とを有し、上記出力形態選択手段で録音用が選択された場合には、上記指定手段による指定に関係なく全ての上記複数の外部送り用出力手段を録音用として指定し、上記出力形態選択手段で外部送り用が選択された場合には、上記指定手段による指示に関係なく全ての上記複数の外部送り用出力手段を外部送り用として指定するようにしたものである。
【００５５】
また、本発明のうち請求項３に記載の発明は、本発明のうち請求項１または２のいずれか１項に記載の発明において、さらに、上記複数の外部送り用出力手段のそれぞれに対応した定位を任意に設定可能な定位設定手段とを有し、上記出力制御手段は上記指定手段で録音用と指定された上記外部送り用出力手段に対応した上記定位を上記定位設定手段による設定に関係なく所定の定位に設定するよう制御するようにしたものである。
【００６１】
【発明の実施の形態】
以下、添付の図面を参照しながら、本発明によるデジタル・ミキサーの実施の形態の一例を詳細に説明する。
【００６２】
図２には、本発明によるデジタル・ミキサー（以下、単に「ミキサー」と称する。）の実施の形態の一例の概念構成説明図が示されており、この本発明によるミキサーは、複数のチャンネルの音声信号をそれぞれ入力するための入力手段として、複数のチャンネル分の入力手段１０を備えている。
【００６３】
具体的には、図２に示すミキサーにおいては、チャンネル１〜チャンネル６の６チャンネル分の入力手段１０が設けられており、これらチャンネル１〜チャンネル６の６チャンネル分の入力手段１０は、それぞれ同一の構成を備えている。
【００６４】
なお、上記したチャンネル１〜チャンネル６の６チャンネル分の入力手段１０は、この実施の形態においては、デジタル・シグナル・プロセッサ（ＤＳＰ）によって実現されるものとする。
【００６５】
そして、このミキサーにおいては、ＤＳＰにより構成される入力手段１０を制御するためのマイクロ・コンピューターにより構成される制御手段１２と、制御手段１２に対して各種の指示を与えるための操作手段１４とが設けられている。
【００６６】
ここで、上記した入力手段１０において、入力された音声信号を伝送する主経路１６には、主経路１６を通過する音声信号のレベルを制御するためのフェーダー手段（Ｆａｄｅｒ）１８が設けられているとともに、このフェーダー手段１８の後段には音像の定位（パン：Ｐａｎ）を制御するためのパン手段（Ｐａｎ）２０が設けられている。
【００６７】
また、主経路１６に設けられたフェーダー手段１８の前段においては、主経路１６から第１分岐路２２が分岐され、主経路１６に設けられたフェーダー手段１８の後段かつパン手段２０の前段、即ち、フェーダー手段１８とパン手段２０との間においては、主経路１６から第２分岐路２４が分岐されている。
【００６８】
そして、第１分岐路２２と第２分岐路２４とはさらにそれぞれ分岐されて、選択手段２６−１、２６−２、２６−３、２６−４、２６−５、２６−６、２６−７へ接続されるようになされている。即ち、選択手段２６−１、２６−２、２６−３、２６−４、２６−５、２６−６、２６−７へは、一対の第１分岐路２２と第２分岐路２４とをそれぞれ通過する音声信号が入力されるようになされている。
【００６９】
ここで、選択手段２６−１、２６−２、２６−３、２６−４、２６−５、２６−６、２６−７は、これら第１分岐路２２と第２分岐路２４とをそれぞれ通過する音声信号のうちで、いずれの音声信号を後段へ出力するかを選択するためのものであり、第１分岐路２２を通過する信号を選択することによりフェーダー手段１８を通過する前（プリ・フェーダー：Ｐｒｅ  Ｆａｄｅｒ）の音声信号を後段へ出力することができ、第２分岐路２４を通過する信号を選択することによりフェーダー手段１８を通過した後（ポスト・フェーダー：Ｐｏｓｔ  Ｆａｄｅｒ）の音声信号を後段へ出力することができる。
【００７０】
また、選択手段２６−１、２６−２、２６−３、２６−４、２６−５、２６−６、２６−７の後段にはそれぞれ、選択手段２６−１、２６−２、２６−３、２６−４、２６−５、２６−６、２６−７によって選択された音声信号のレベルを制御するレベル手段（Ｌｅｖｅｌ）２８−１、２８−２、２８−３、２８−４、２８−５、２８−６、２８−７が設けられているとともに、このレベル手段２８−１、２８−２、２８−３、２８−４、２８−５、２８−６、２８−７の後段にはそれぞれ音像の定位を制御するためのパン手段３０−１、３０−２、３０−３、３０−４、３０−５、３０−６、３０−７が設けられている。
【００７１】
なお、上記した選択手段２６−１、２６−２、２６−３、２６−４、２６−５、２６−６、２６−７と、レベル手段２８−１、２８−２、２８−３、２８−４、２８−５、２８−６、２８−７と、パン手段３０−１、３０−２、３０−３、３０−４、３０−５、３０−６、３０−７とは、後述するように操作手段１４の操作に応じた制御手段１２の制御に従って設定状態を可変とされており、各種の録音用の機器へ出力するための音声信号（以下、適宜に「録音用音声信号」と称する。なお、「録音用音声信号」の詳細については後述する。）と外部機器などへ送るための音声信号（以下、適宜に「外部送り用音声信号」と称する。なお、「外部送り用音声信号」の詳細については後述する。）とを任意に得ることができるようになされている。
【００７２】
そして、主経路１６のパン手段２０において定位が制御された音声信号は、当該音声信号をスピーカーなどへ出力するための主出力経路（ＭＡＳＴＥＲ  ＯＵＴ）として機能する主出力バス３２へ出力される。
【００７３】
一方、パン手段３０−１、３０−２、３０−３、３０−４、３０−５、３０−６、３０−７において定位が制御されたそれぞれの音声信号（録音用音声信号または外部送り用音声信号）は、当該音声信号が録音用音声信号である場合には当該録音用音声信号を各種の録音用の機器へ出力するための録音用出力経路として機能するとともに、音声信号が外部送り用音声信号である場合には当該外部送り用音声信号を外部機器などへ送るための外部送り経路として機能する第１バス３４−１、第２バス３４−２、第３バス３４−３、第４バス３４−４、第５バス３４−５、第３バス３６−６、第７バス３４−７へそれぞれ出力される。
【００７４】
さらに、主出力バス３２にはチャンネル１〜チャンネル６におけるパン手段２０から出力された音声信号を選択して混合するミキシング処理手段３６が設けられており、第１バス３４−１にはチャンネル１〜チャンネル６におけるパン手段３０−１から出力された音声信号を選択して混合するミキシング処理手段３８が設けられており、第２バス３４−２にはチャンネル１〜チャンネル６におけるパン手段３０−２から出力された音声信号を選択して混合するミキシング処理手段４０が設けられており、第３バス３４−３にはチャンネル１〜チャンネル６におけるパン手段３０−３から出力された音声信号を選択して混合するミキシング処理手段４２が設けられており、第５バス３４−５にはチャンネル１〜チャンネル６におけるパン手段３０−５から出力された音声信号を選択して混合するミキシング処理手段４６が設けられており、第６バス３４−６にはチャンネル１〜チャンネル６におけるパン手段３０−６から出力された音声信号を選択して混合するミキシング処理手段４８が設けられており、第７バス３４−７にはチャンネル１〜チャンネル６におけるパン手段３０−７から出力された音声信号を選択して混合するミキシング処理手段５０が設けられている。
【００７５】
また、符号５２−１、５２−２、５２−３、５２−４、５２−５、５２−６、５２−７、５２−８はそれぞれ、音声信号のレベルを制御するレベル手段である。
【００７６】
なお、フェーダー手段１８、パン手段２０、レベル手段２８−１、２８−２、２８−３、２８−４、２８−５、２８−６、２８−７、パン手段３０−１、３０−２、３０−３、３０−４、３０−５、３０−６、３０−７、ミキシング処理手段３６、３８、４０、４２、４４、４６、４８、５０ならびにレベル手段５２−１、５２−２、５２−３、５２−４、５２−５、５２−６、５２−７、５２−８におけるパラメータ値などの設定や、選択手段２６−１、２６−２、２６−３、２６−４、２６−５、２６−６、２６−７における音声信号の選択の設定などは、図示しない操作子の操作によって使用者が任意に設定できるものとする。
【００７７】
また、図３には、操作手段１４を構成する操作子を配設した操作パネルの概略構成図が示されている。なお、図３においては、本発明の実施に関連する操作子のみ図示するものとし、本発明の実施に関連しない従来より公知の操作子の図示は省略した。
【００７８】
即ち、図３においては、本発明の実施に関連する操作子として、第１バス設定操作子６０−１、第２バス設定操作子６０−２、第３バス設定操作子６０−３、第４バス設定操作子６０−４、第５バス設定操作子６０−５、第６バス設定操作子６０−６、第７バス設定操作子６０−７ならびにレコーディング・モード選択操作子６２、オグジュアリー・モード選択操作子６４が設けられている。
【００７９】
ここで、第１バス設定操作子６０−１は、録音用音声信号を第１バス３４−１へ出力して第１バス３４−１を録音用出力経路（ＲＥＣ）として機能させるか、あるいは、外部送り用音声信号を第１バス３４−１へ出力して第１バス３４−１を外部送り経路（ＡＵＸ）として機能させるかを選択する操作子である。
【００８０】
同様に、第２バス設定操作子６０−２は、録音用音声信号を第２バス３４−２へ出力して第２バス３４−２を録音用出力経路として機能させるか、あるいは、外部送り用音声信号を第２バス３４−２へ出力して第２バス３４−２を外部送り経路として機能させるかを選択する操作子である。
【００８１】
また、第３バス設定操作子６０−３は、録音用音声信号を第３バス３４−３へ出力して第３バス３４−３を録音用出力経路として機能させるか、あるいは、外部送り用音声信号を第３バス３４−３へ出力して第３バス３４−３を外部送り経路として機能させるかを選択する操作子である。
【００８２】
また、第４バス設定操作子６０−４は、録音用音声信号を第４バス３４−４へ出力して第４バス３４−４を録音用出力経路として機能させるか、あるいは、外部送り用音声信号を第４バス３４−４へ出力して第４バス３４−４を外部送り経路として機能させるかを選択する操作子である。
【００８３】
また、第５バス設定操作子６０−５は、録音用音声信号を第５バス３４−５へ出力して第５バス３４−５を録音用出力経路として機能させるか、あるいは、外部送り用音声信号を第５バス３４−５へ出力して第５バス３４−５を外部送り経路として機能させるかを選択する操作子である。
【００８４】
また、第６バス設定操作子６０−６は、録音用音声信号を第６バス３４−６へ出力して第６バス３４−６を録音用出力経路として機能させるか、あるいは、外部送り用音声信号を第６バス３４−６へ出力して第６バス３４−６を外部送り経路として機能させるかを選択する操作子である。
【００８５】
また、第７バス設定操作子６０−７は、録音用音声信号を第７バス３４−７へ出力して第７バス３４−７を録音用出力経路として機能させるか、あるいは、外部送り用音声信号を第７バス３４−７へ出力して第７バス３４−７を外部送り経路として機能させるかを選択する操作子である。
【００８６】
なお、図３に示す例においては、第１バス設定操作子６０−１、第２バス設定操作子６０−２、第３バス設定操作子６０−３および第４バス設定操作子６０−４は、第１バス３４−１、第２バス３４−２、第３バス３４−３および第４バス３４−４へ録音用音声信号をそれぞれ出力して、第１バス３４−１、第２バス３４−２、第３バス３４−３および第４バス３４−４をそれぞれ録音用出力経路として機能させることを選択している状態を示しており、第５バス設定操作子６０−５、第６バス設定操作子６０−６および第７バス設定操作子６０−７は、第５バス３４−５、第６バス３４−６および第７バス３４−７へ外部送り用音声信号を出力して、第５バス３４−５、第６バス３４−６および第７バス３４−７をそれぞれ外部送り経路として機能させることを選択している状態を示している。
【００８７】
ここで、上記した第１バス設定操作子６０−１、第２バス設定操作子６０−２、第３バス設定操作子６０−３、第４バス設定操作子６０−４、第５バス設定操作子６０−５、第６バス設定操作子６０−６、第７バス設定操作子６０−７に関して、それぞれ対応する第１バス３４−１、第２バス３４−２、第３バス３４−３、第４バス３４−４、第５バス３４−５、第６バス３４−６、第７バス３４−７へ録音用音声信号を出力して、第１バス３４−１、第２バス３４−２、第３バス３４−３、第４バス３４−４、第５バス３４−５、第６バス３４−６、第７バス３４−７をそれぞれ録音用出力経路として機能させることを選択した場合には、制御手段１２の制御によって、選択手段２６−１、２６−２、２６−３、２６−４、２６−５、２６−６、２６−７はポスト・フェーダーの音声信号を後段へ出力するように自動的に設定し、レベル手段２８−１、２８−２、２８−３、２８−４、２８−５、２８−６、２８−７は入力と出力との比が「１：１」となるように自動的に固定し、パン手段３０−１、３０−２、３０−３、３０−４、３０−５、３０−６、３０−７のパラメータ値はパン手段２０のパラメータ値と連動して自動的に変化するように設定することにより得られる音声信号を、録音用音声信号とするものである。
【００８８】
従って、上記した第１バス設定操作子６０−１、第２バス設定操作子６０−２、第３バス設定操作子６０−３、第４バス設定操作子６０−４、第５バス設定操作子６０−５、第６バス設定操作子６０−６、第７バス設定操作子６０−７の操作によって、それぞれ対応する第１バス３４−１、第２バス３４−２、第３バス３４−３、第４バス３４−４、第５バス３４−５、第６バス３４−６、第７バス３４−７へ録音用音声信号を出力して、第１バス３４−１、第２バス３４−２、第３バス３４−３、第４バス３４−４、第５バス３４−５、第６バス３４−６、第７バス３４−７をそれぞれ録音用出力経路として機能させることを選択した場合には、上記した「従来の技術」の項で説明した従来のミキサーと同様に、入力手段１０から録音用バスとしての第１バス３４−１、第２バス３４−２、第３バス３４−３、第４バス３４−４、第５バス３４−５、第６バス３４−６、第７バス３４−７に出力される録音用音声信号は、入力手段１０から主出力バス３２に出力される音声信号と同様の制御を受けたものとなる。
【００８９】
一方、上記した第１バス設定操作子６０−１、第２バス設定操作子６０−２、第３バス設定操作子６０−３、第４バス設定操作子６０−４、第５バス設定操作子６０−５、第６バス設定操作子６０−６、第７バス設定操作子６０−７に関して、それぞれ対応する第１バス３４−１、第２バス３４−２、第３バス３４−３、第４バス３４−４、第５バス３４−５、第６バス３４−６、第７バス３４−７へ外部送り用音声信号を出力して、第１バス３４−１、第２バス３４−２、第３バス３４−３、第４バス３４−４、第５バス３４−５、第６バス３４−６、第７バス３４−７をそれぞれ外部送り用出力経路として機能させることを選択した場合には、選択手段２６−１、２６−２、２６−３、２６−４、２６−５、２６−６、２６−７、レベル手段２８−１、２８−２、２８−３、２８−４、２８−５、２８−６、２８−７ならびにパン手段３０−１、３０−２、３０−３、３０−４、３０−５、３０−６、３０−７の設定は、図示しない操作子によって使用者が任意に設定することができるものであり、この使用者の任意の設定に応じて得られた音声信号を外部送り用音声信号とするものである。
【００９０】
また、レコーディング・モード選択操作子６２を操作すると、レコーディング・モードとなり、上記した第１バス設定操作子６０−１、第２バス設定操作子６０−２、第３バス設定操作子６０−３、第４バス設定操作子６０−４、第５バス設定操作子６０−５、第６バス設定操作子６０−６ならびに第７バス設定操作子６０−７の操作状態に関わらず、上記した録音用音声信号を第１バス３４−１、第２バス３４−２、第３バス３４−３、第４バス３４−４、第５バス３４−５、第６バス３４−６および第７バス３４−７へ出力して、第１バス３４−１、第２バス３４−２、第３バス３４−３、第４バス３４−４、第５バス３４−５、第６バス３４−６および第７バス３４−７を全て録音用出力経路として機能させることができるようになるものである。
【００９１】
一方、オグジュアリー・モード選択操作子６４を操作すると、オグジュアリー・モードとなり、上記した第１バス設定操作子６０−１、第２バス設定操作子６０−２、第３バス設定操作子６０−３、第４バス設定操作子６０−４、第５バス設定操作子６０−５、第６バス設定操作子６０−６ならびに第７バス設定操作子６０−７の操作状態に関わらず、上記した外部送り用音声信号を第１バス３４−１、第２バス３４−２、第３バス３４−３、第４バス３４−４、第５バス３４−５、第６バス３４−６および第７バス３４−７へ出力して、第１バス３４−１、第２バス３４−２、第３バス３４−３、第４バス３４−４、第５バス３４−５、第６バス３４−６および第７バス３４−７を全て外部送り経路として機能させることができるようになるものである。
【００９２】
以上の構成において、まず、主出力バス３２を通って出力される主出力経路の音声信号について説明する。
【００９３】
即ち、主経路１６に入力された音声信号は、フェーダー手段１８においてレベルの制御をされ、さらにパン手段２０において定位の制御をされた後に、主出力バス３２を通ってミキシング処理手段３６に入力される。そして、ミキシング処理手段３６によってチャンネル１〜チャンネル６のうちの選択された音声信号がミキシング処理されて、主出力バス３２を通ってレベル手段５２−１によってレベル制御され、主出力経路の音声信号として左チャンネル（Ｌ）と右チャンネル（Ｒ）とのステレオ出力されることになる。
【００９４】
次に、第１バス３４−１、第２バス３４−２、第３バス３４−３、第４バス３４−４、第５バス３４−５、第６バス３４−６ならびに第７バス３４−７を通って出力される音声信号について説明する。
【００９５】
まず、第１バス３４−１を通って出力される音声信号について、第１バス設定操作子６０−１によって、上記した録音用音声信号を第１バス３４−１へ出力して第１バス３４−１を録音用出力経路として機能させることが選択されている場合には、制御手段１２の制御によって、選択手段２６−１はポスト・フェーダーの音声信号を後段へ出力するように自動的に設定され、レベル手段２８−１は入力と出力との比が「１：１」となるように自動的に固定され、パン手段３０−１のパラメータ値はパン手段２０のパラメータ値と連動して自動的に変化するように設定される。
【００９６】
従って、ポスト・フェーダーの音声信号は、パン手段３０−１においてパン手段２０と同一の定位の制御をされた後に、録音用音声信号として第１バス３４−１を通ってミキシング処理手段３８に入力される。そして、ミキシング処理手段３８によってチャンネル１〜チャンネル６のうちの選択された録音用音声信号がミキシング処理されて、第１バス３４−１を通ってレベル手段５２−２によってレベル制御され、録音用出力経路の録音用音声信号として２チャンネル出力されることになる。
【００９７】
一方、第１バス３４−１を通って出力される音声信号について、第１バス設定操作子６０−１によって、上記した外部送り用音声信号を第１バス３４−１へ出力して第１バス３４−１を外部送り出力経路として機能させることが選択されている場合には、選択手段２６−１において、プリ・フェーダーの音声信号を第１バス３４−１へ出力するか、あるいは、ポスト・フェーダーの音声信号を第１バス３４−１へ出力するかが選択されることになる。
【００９８】
こうして選択された音声信号は、レベル手段２８−１においてレベルの制御をされ、さらにパン手段３０−１において定位の制御をされた後に、外部送り用音声信号として第１バス３４−１を通ってミキシング処理手段３８に入力される。そして、ミキシング処理手段３８によってチャンネル１〜チャンネル６のうちの選択された外部送り用音声信号がミキシング処理され、さらにレベル手段５２−２によってレベル制御され、外部送り経路の外部送り用音声信号として２チャンネル出力されることになる。
【００９９】
なお、第２バス３４−２、第３バス３４−３、第４バス３４−４、第５バス３４−５、第６バス３４−６ならびに第７バス３４−７を通って出力される音声信号についても、上記した第１バス３４−１を通って出力される音声信号と同様である。
【０１００】
即ち、第２バス３４−２（第３バス３４−３、第４バス３４−４、第５バス３４−５、第６バス３４−６、第７バス３４−７）を通って出力される音声信号について、第２バス設定操作子６０−２（第３バス設定操作子６０−３、第４バス設定操作子６０−４、第５バス設定操作子６０−５、第６バス設定操作子６０−６、第７バス設定操作子６０−７）によって、上記した音声信号を第２バス３４−２（第３バス３４−３、第４バス３４−４、第５バス３４−５、第６バス３４−６、第７バス３４−７）へ出力して、第２バス３４−２（第３バス３４−３、第４バス３４−４、第５バス３４−５、第６バス３４−６、第７バス３４−７）を録音用出力経路として機能させることが選択されている場合には、制御手段１２の制御によって、選択手段２６−２（選択手段２６−３、２６−４、２６−５、２６−６、２６−７）はポスト・フェーダーの音声信号を後段へ出力するように自動的に設定され、レベル手段２８−２（レベル手段２８−３、２８−４、２８−５、２８−６、２８−７）は入力と出力との比が「１：１」となるように自動的に固定され、パン手段３０−２（パン手段３０−３、３０−４、３０−５、３０−６、３０−７）のパラメータ値はパン手段２０のパラメータ値と連動して自動的に変化するように設定される。
【０１０１】
従って、ポスト・フェーダーの音声信号は、パン手段３０−２（パン手段３０−３、３０−４、３０−５、３０−６、３０−７）においてパン手段２０と同一の定位の制御をされた後に、録音用音声信号として第２バス３４−２（第３バス３４−３、第４バス３４−４、第５バス３４−５、第６バス３４−６、第７バス３４−７）を通ってミキシング処理手段４０（ミキシング処理手段４２、４４、４６、４８、５０）に入力される。そして、ミキシング処理手段４０（ミキシング処理手段４２、４４、４６、４８、５０）によってチャンネル１〜チャンネル６のうちの選択された録音用音声信号がミキシング処理されて、第２バス３４−２（第３バス３４−３、第４バス３４−４、第５バス３４−５、第６バス３４−６、第７バス３４−７）を通ってレベル手段５２−３（レベル制御手段５２−４、５２−５、５２−６、５２−７、５２−８）によってレベル制御され、録音用出力経路の録音用音声信号として２チャンネル出力されることになる。
【０１０２】
一方、第２バス３４−２（第３バス３４−３、第４バス３４−４、第５バス３４−５、第６バス３４−６、第７バス３４−７）を通って出力される音声信号について、第２バス設定操作子６０−２（第３バス設定操作子６０−３、第４バス設定操作子６０−４、第５バス設定操作子６０−５、第６バス設定操作子６０−６、第７バス設定操作子６０−７）によって、上記した外部送り用音声信号を第２バス３４−２（第３バス３４−３、第４バス３４−４、第５バス３４−５、第６バス３４−６、第７バス３４−７）へ出力して、第２バス３４−２（第３バス３４−３、第４バス３４−４、第５バス３４−５、第６バス３４−６、第７バス３４−７）を外部送り出力経路として機能させることが選択されている場合には、選択手段２６−２（選択手段２６−３、２６−４、２６−５、２６−６、２６−７）において、プリ・フェーダーの音声信号を第２バス３４−２（第３バス３４−３、第４バス３４−４、第５バス３４−５、第６バス３４−６、第７バス３４−７）へ出力するか、あるいは、ポスト・フェーダーの音声信号を第２バス３４−２（第３バス３４−３、第４バス３４−４、第５バス３４−５、第６バス３４−６、第７バス３４−７）へ出力するかが選択されることになる。
【０１０３】
こうして選択された音声信号は、レベル手段２８−２（レベル手段２８−３、２８−４、２８−５、２８−６、２８−７）においてレベルの制御をされ、さらにパン手段３０−２（パン手段３０−３、３０−４、３０−５、３０−６、３０−７）において定位の制御をされた後に、外部送り用音声信号として第２バス３４−２（第３バス３４−３、第４バス３４−４、第５バス３４−５、第６バス３４−６、第７バス３４−７）を通ってミキシング処理手段４０（ミキシング処理手段４２、４４、４６、４８、５０）に入力される。そして、ミキシング処理手段４０（ミキシング処理手段４２、４４、４６、４８、５０）によってチャンネル１〜チャンネル６のうちの選択された外部送り用音声信号がミキシング処理され、さらにレベル手段５２−３（レベル制御手段５２−４、５２−５、５２−６、５２−７、５２−８）によってレベル制御され、外部送り経路の外部送り用音声信号として２チャンネル出力されることになる。
【０１０４】
従って、このミキサーにおいては、第１バス設定操作子６０−１、第２バス設定操作子６０−２、第３バス設定操作子６０−３、第４バス設定操作子６０−４、第５バス設定操作子６０−５、第６バス設定操作子６０−６、第７バス設定操作子６０−７の操作に応じて、第１バス３４−１、第２バス３４−２、第３バス３４−３、第４バス３４−４、第５バス３４−５、第６バス３４−６、第７バス３４−７へ出力する音声信号を録音用音声信号と外部送り用信号とに切り換えて、第１バス３４−１、第２バス３４−２、第３バス３４−３、第４バス３４−４、第５バス３４−５、第６バス３４−６、第７バス３４−７の機能を録音用出力経路と外部送り経路とに切り換えることができ、実質的に第１バス３４−１、第２バス３４−２、第３バス３４−３、第４バス３４−４、第５バス３４−５、第６バス３４−６、第７バス３４−７を録音用バスとオグジュアリー・バスとに切り換えて使用することができるものである。
【０１０５】
また、レコーディング・モード選択操作子６２を操作すると、レコーディング・モードとなり、上記した録音用音声信号を第１バス３４−１、第２バス３４−２、第３バス３４−３、第４バス３４−４、第５バス３４−５、第６バス３４−６および第７バス３４−７へ出力して、第１バス３４−１、第２バス３４−２、第３バス３４−３、第４バス３４−４、第５バス３４−５、第６バス３４−６および第７バス３４−７の機能を全て録音用出力経路に切り換えて、実質的に第１バス３４−１、第２バス３４−２、第３バス３４−３、第４バス３４−４、第５バス３４−５、第６バス３４−６、第７バス３４−７を全て録音用バスとして使用することができるようになされており、レコーディングに使用する際に都合がよい。
【０１０６】
一方、オグジュアリー・モード選択操作子６４を操作すると、オグジュアリー・モードとなり、上記した外部送り用音声信号を第１バス３４−１、第２バス３４−２、第３バス３４−３、第４バス３４−４、第５バス３４−５、第６バス３４−６および第７バス３４−７へ出力して、第１バス３４−１、第２バス３４−２、第３バス３４−３、第４バス３４−４、第５バス３４−５、第６バス３４−６および第７バス３４−７の機能を全て外部送り経路に切り換えて、実質的に第１バス３４−１、第２バス３４−２、第３バス３４−３、第４バス３４−４、第５バス３４−５、第６バス３４−６、第７バス３４−７を全てオグジュアリー・バスとして使用することができるようになされており、ステージで使用する際に都合がよい。
【０１０７】
なお、上記した実施の形態においては、第１バス３４−１（第２バス３４−２、第３バス３４−３、第４バス３４−４、第５バス３４−５、第６バス３４−６、第７バス３４−７）を通って出力される音声信号について、第１バス設定操作子６０−１（第２バス設定操作子６０−２、第３バス設定操作子６０−３、第４バス設定操作子６０−４、第５バス設定操作子６０−５、第６バス設定操作子６０−６、第７バス設定操作子６０−７）によって、録音用音声信号を第１バス３４−１（第２バス３４−２、第３バス３４−３、第４バス３４−４、第５バス３４−５、第６バス３４−６、第７バス３４−７）へ出力して、第１バス３４−１（第２バス３４−２、第３バス３４−３、第４バス３４−４、第５バス３４−５、第６バス３４−６、第７バス３４−７）を録音用出力経路として機能させることが選択されている場合には、選択手段２６−１（選択手段２６−２、選択手段２６−３、２６−４、２６−５、２６−６、２６−７）はポスト・フェーダーの音声信号を後段へ出力するように自動的に設定し、レベル手段２８−１（レベル手段２８−２、２８−３、２８−４、２８−５、２８−６、２８−７）は入力と出力との比が「１：１」となるように自動的に固定し、パン手段３０−１（パン手段３０−２、３０−３、３０−４、３０−５、３０−６、３０−７）のパラメータ値はパン手段２０のパラメータ値と連動して自動的に変化するように設定することにより、録音用音声信号を得るようにしている。
【０１０８】
しかしながら、これに限られるものではなく、例えば、第１バス３４−１（第２バス３４−２、第３バス３４−３、第４バス３４−４、第５バス３４−５、第６バス３４−６、第７バス３４−７）を通って出力される音声信号について、第１バス設定操作子６０−１（第２バス設定操作子６０−２、第３バス設定操作子６０−３、第４バス設定操作子６０−４、第５バス設定操作子６０−５、第６バス設定操作子６０−６、第７バス設定操作子６０−７）によって、録音用音声信号を第１バス３４−１（第２バス３４−２、第３バス３４−３、第４バス３４−４、第５バス３４−５、第６バス３４−６、第７バス３４−７）へ出力して、第１バス３４−１（第２バス３４−２、第３バス３４−３、第４バス３４−４、第５バス３４−５、第６バス３４−６、第７バス３４−７）を録音用出力経路として機能させることが選択されている場合には、選択手段２６−１（選択手段２６−２、２６−３、２６−４、２６−５、２６−６、２６−７）はプリ・フェーダーの音声信号を後段へ出力するように自動的に設定し、レベル手段２８−１（レベル手段２８−２、２８−３、２８−４、２８−５、２８−６、２８−７）はフェーダー１８のパラメータ値と連動して自動的に変化するように設定し、パン手段３０−１（パン手段３０−２、３０−３、３０−４、３０−５、３０−６、３０−７）のパラメータ値はパン手段２０のパラメータ値と連動して自動的に変化するように設定することにより、録音用音声信号を得るようにしてもよいし、また、ミキシング処理手段３８（ミキシング処理手段４０、４２、４４、４６、４８、５０）を主出力バス３２に接続するように録音用音声信号を得るようにしてもよい。
【０１０９】
また、上記した実施の形態においては、第１バス設定操作子６０−１、第２バス設定操作子６０−２、第３バス設定操作子６０−３、第４バス設定操作子６０−４、第５バス設定操作子６０−５、第６バス設定操作子６０−６、第７バス設定操作子６０−７によって、第１バス３４−１、第２バス３４−２、第３バス３４−３、第４バス３４−４、第５バス３４−５、第６バス３４−６、第７バス３４−７を録音用出力経路として機能させるか、あるいは、外部送り用音声信号経路として機能させるかを、ユーザーが選択できるようにしたが、これに限られるものではないことは勿論であり、第１バス設定操作子６０−１．第２バス設定操作子６０−２、第３バス設定操作子６０−３、第４バス設定操作子６０−４、第５バス設定操作子６０−５、第６バス設定操作子６０−６、第７バス設定操作子６０−７の設定を複数種類記憶し、いずれの種類の記憶を再現するかを選択可能な操作子を設け、当該操作子によって選択された種類の設定を再現し、ユーザーが過去に行った設定を再現できるようにしてもよい。
【０１１０】
また、各バス毎に設定操作子を設けるのではなく、録音用出力経路または外部送り用音声信号経路として要望されるバスの数を入力することにより、要望されるバス数のバスが録音用出力経路または外部送り用音声信号経路として機能されるようにしてもよい。
【０１１１】
また、上記した実施の形態においては、第１バス３４−１、第２バス３４−２、第３バス３４−３、第４バス３４−４、第５バス３４−５、第６バス３４−６、第７バス３４−７の全てが、レコーディング・モード選択操作子６２またはオグジュアリー・モード選択操作子６４を操作すると、録音用出力経路として機能させるか、あるいは、外部送り用音声信号経路として機能させるかが切り換わるようにしたが、全てのバスの中の一部のバスが切り換わるようにしてもよい。
【０１１２】
また、全てのバスの中の一部のバスについては、録音用出力経路として機能させるか、あるいは、外部送り用音声信号経路として機能させるかが、固定的に設定されていてもよい。
【０１１３】
また、上記した実施の形態においては、第１バス設定操作子６０−１（第２バス設定操作子６０−２、第３バス設定操作子６０−３、第４バス設定操作子６０−４、第５バス設定操作子６０−５、第６バス設定操作子６０−６、第７バス設定操作子６０−７）によって、音声用信号を第１バス３４−１（第２バス３４−２、第３バス３４−３、第４バス３４−４、第５バス３４−５、第６バス３４−６、第７バス３４−７）へ出力して第１バス３４−１（第２バス３４−２、第３バス３４−３、第４バス３４−４、第５バス３４−５、第６バス３４−６、第７バス３４−７）を録音用出力経路として機能させることを選択したり、あるいは、外部送り用信号を第１バス３４−１（第２バス３４−２、第３バス３４−３、第４バス３４−４、第５バス３４−５、第６バス３４−６、第７バス３４−７）へ出力して第１バス３４−１（第２バス３４−２、第３バス３４−３、第４バス３４−４、第５バス３４−５、第６バス３４−６、第７バス３４−７）を外部送り出力経路として機能させることを選択したりしたが、これに限られるものではない。
【０１１４】
例えば、通常は、外部送り用音声信号を第１バス３４−１、第２バス３４−２、第３バス３４−３、第４バス３４−４、第５バス３４−５、第６バス３４−６および第７バス３４−７へ出力して、第１バス３４−１、第２バス３４−２、第３バス３４−３、第４バス３４−４、第５バス３４−５、第６バス３４−６および第７バス３４−７の機能を全て外部送り経路に切り換え、実質的に第１バス３４−１、第２バス３４−２、第３バス３４−３、第４バス３４−４、第５バス３４−５、第６バス３４−６、第７バス３４−７を全てオグジュアリー・バスとして使用するようにしておき、必要に応じて所望の第１バス３４−１、第２バス３４−２、第３バス３４−３、第４バス３４−４、第５バス３４−５、第６バス３４−６または第７バス３４−７を指定して、当該指定した第１バス３４−１、第２バス３４−２、第３バス３４−３、第４バス３４−４、第５バス３４−５、第６バス３４−６または第７バス３４−７へ録音用音声信号を出力するようにして、第１バス３４−１、第２バス３４−２、第３バス３４−３、第４バス３４−４、第５バス３４−５、第６バス３４−６または第７バス３４−７を録音用出力経路として機能させるようにしてもよい。
【０１１５】
また、プリ・フェーダーの音声信号をレベル手段２８−１（レベル手段２８−２、２８−３、２８−４、２８一５、２８−６、２８−７）に入力し、ポスト・フェーダーの音声信号およびレベル手段２８−１（レベル手段２８−２、２８−３、２８−４、２８−５、２８−６、２８−７）の出力の音声信号を選択手段２６−１（選択手段２６−２、２６−３、２６−４、２６−５、２６−６、２６−７）に入力するようにし、ポスト・フェーダーの音声信号とプリ・フェーダーの音声信号をレベル手段２８−１（レベル手段２８−２、２８−３、２８−４、２８−５、２８−６、２８−７）によりレベル制御した信号とのいずれかを選択してパン手段３０−１（パン手段３０−２、３０−３、３０−４、３０−５、３０−６、３０−７）に人力するようにしてもよい。
【０１１６】
【発明の効果】
本発明は、以上説明したように構成されているので、録音用としての出力経路の機能と外部送り用としての出力経路の機能とを適宜に互換可能な出力経路が設けられるようになるため、多数の録音用の出力経路と外部送り用の出力経路とをそれぞれ設ける必要性がなくなり、構成の複雑化や装置の規模の大型化ならびにコストの増大を抑制しながら、録音用と外部送り用との２つの用途を十分に満足させることができるようになるという優れた効果を奏する。
【図面の簡単な説明】
【図１】従来のミキサーの概念構成説明図である。
【図２】本発明によるミキサーの実施の形態の一例の概念構成説明図である。
【図３】図２に示すミキサーの操作パネルの概略構成説明図である。
【符号の説明】
１０                        入力手段
１２                        制御手段
１４                        操作手段
１６                        主経路
１８                        フェーダー手段
２０                        パン手段
２２                        第１分岐路
２４                        第２分岐路
【図１】
0004070901.tif 000002
【図２】
0004070901.tif 000003
【図３】
0004070901.tif 000004